(57)【要約】【課題】本発明は、ナノ水（０．２８〜０．４ナノメートル粒径）から水素を取り出し常温にて水素を生成することが出来る、発明の名称を得ることにある。【解決手段】本発明の特徴は、日本国の「第二再生可能エネルギー・水素閣僚会議」において、日本の水素社会に向けた「水素基本戦略」の目標に対し解決すべき最大の課題は、水素生成において、最大の課題である「生成コストの安い方式」「水素生成ＣＯ２フリー化」の２点である。本発明装置は上記［００２６］記載の、欠点に鑑み、▲１▼「生成コストの安い方式」は、常温において水素を生成可能とする装置概要は、約１０００メートルの滝口から最下部の水流域へ落下加速度エネルギーを増加しながら水が上部から落下し落下地点の流域に加速度を得ながら加圧溶解する、自然の仕組みを応用し構築した装置である。本装置は同時に、「水素生成ＣＯ２フリー化」を可能にする装置であることが大きな特徴であります。本装置の展開は、燃焼に必要なすべてのエネルギーに使用することが可能になることが特徴である。【選択図】なし【特許請求の範囲】
【請求項１】
本発明装置は、ナノ水（０．２８〜０．４ナノメートル粒径水）から水素を取り出し水素を生成する、自然界の仕組みを合理的に構築した常温水素生成装置である。
図１、装置概念図は、本発明の常温水素生成装置筐体２、水分子生成装置筐体３、高純度水素貯蔵槽４．を形成し本発明装置を構成している。図１は、常温水素生成システムを構成する装置の全体を示している。該、常温水素生成装置筐体２に、水分子生成装置筐体３の水分子生成室９にて生成された水分子（０．２８〜０．４ナノメートル粒子水）は水分子供給管を経て該、常温水素生成装置筐体３．に供給される。本発明装置は自然界の仕組みを合理的に且つ経済的に構築した装置である。
本発明装置の主要構成の一つである、水分子生成装置筐体３は、加圧空気ファン５、及び．水分子特殊ユニット６−１．２．３、磁場発生装置１７によって形成している。本装置に使用する給水温度を４５〜５５℃に加温する。加温された給水管はポンプによって加圧（圧力１０ｍパスカル）される。加温及び加圧された給水管１８は、該、水分子生成装置筐体３の水分子生成特殊ユニット６−１．２．３．によって水分子化（０．２８〜０．４ナノメートル粒子水）される。水分子生成室９は、そのガス化状態となった気体を貯留する空間である。また、水分子生成装置筐体３は、水分子生成室９の空間を、加圧（０．８〜１．５ｍＰａ）、磁場力（２００〜４００ガロン）双方の条件を一定に保った空間に水分子が生成されることになる。その空間に、水分子生成特殊ユニット６−１．２．３によって、水分子（０．２８〜０．４ナノメートル粒子水）が該空間に噴霧される。水分子（０．２８〜０．４ナノメートル粒子水）は、該空間の圧力と磁場力等による化学反応等の変化を得てから、水分子（０．２８ｎｍ〜０．４ｎｍ）口径の粒子が該空間に生成されることになることが、本発明装置の大きな特徴である。
本発明装置のメインの装置である常温水素生成装置筐体２は、筐体内の圧力を可変させる機能を持つことにより、該、常温水素生成装置筐体内２の圧力を、マイナス０．０１メガパスカルから＋１．０メガパスカルの可変圧力を制御することが可能となる。低濃度水素生成供給室２５−１へと導入された水分子化状態（０．２８〜０．４ナノメートル粒径水）の気体に赤外線５〜７μｍ及び２０μｍ以上の波長を照射し及び磁場発生装置７−１の磁場２００〜４００ガロンに保たれた空間を経由することにより、水分子の酸素と水素が遊離することが可能となり、水素濃度が暫時上昇することとなる。そして、中濃度水素生成供給室２６−２．から順次、高濃度水素生成供給室２７−３．へと流れ経ることにより水素濃度が高濃度へと高くなっていくことが可能となる。そして、特殊脱酸素除去装置２７を経て高濃度水素貯留室兼真空装置室２５に送りこみ、そして、高濃度水素は高濃度水素供給送風機３４から高濃度水素貯蔵槽４に貯蔵されることになる。純度の高い水素を、短時間及び少ない消費電力から得ることが可能となる。本装置は水分子（０．２８〜０．４ナノメートル粒径）から水素を取り出し水素を、常温において生成することが可能になることが大きな本装置の特徴である。本装置は、自然界の仕組みを構築することにより、合理的且つ経済的な装置が大きな特徴である。
【請求項２】
本発明装置の特徴は、酸素・水素分離生成装置３１．３２．３３の機能は、水分子生成装置筐体３にて、水分子（０．２８〜０．４ナノメートル粒径）が生成され、水分子供給管２０を通じて、該、常温水素生成装置筐体２に流入される。そして、常温水素生成装置筐体２に４室を低濃度水素生成室２１、中濃度水素生成室２２、高濃度水素生成室２３、高濃度水素貯留室を設けている。その４室を区切る隔壁が酸素・水素分離生成装置３１．３２．３３である。その特徴は、該、常温水素生成装置筐体２の底部から上部に仕切り板を３枚にて形成しその隙間を設けている。その空間を水分子（０．２８〜０．４ナノメートル粒径）が、下部から潜り抜けるように流れていく。その結果、酸素と水素の遊離分裂が起し易くなり、且つ、その酸素と水素がスムーズに流れることが可能になる様に、その隔壁を形成している。また、その隔壁３枚の裏表には酸素吸着剤機能シートを貼り付けることにより、酸素の吸着動態を誘導することにより、水素濃度を暫時上昇することが可能になることが本発明装置の大きな特徴である。
【請求項３】
本装置の特徴は、水分子生成特殊ニット６−１．２．３に給水される要素部品は、給水管１０、塩素除去装置１１、水フィルター装置１２、給水流量計１３、給水槽１４、給水管磁気発生装置１５、ポンプ１６、給水加熱装置１７、給水管１８等の要素部品等から構成している。
【請求項４】
本発明装置の特徴は、水素生成方法は将来的に、「水素生成ＣＯ２フリー化」を目指す近道の水素生成装置は、水の電気分解方法であると言われている。しかし現在、本方法に使用される電力量は、水素１Ｎｍ３当り約５ｋｗの電力を消費する。また、１Ｎｍ３の熱エネルギーは重油０．２５
2020125231.tif 000006
とが解る。本発明は、水素生成に使用する電力量は、現状の電気分解方法の、約１／２００〜１／３００以下の消費電力量にて水素が生成できることが可能となることが最大の特徴である。
【発明の詳細な説明】
【技術分野】
【０００１】本発明は、ナノ水（０．２８〜０．４ナノメートル粒径水）から水素を生成する方法。及びこの方法を実施する為の常温水素生成装置に関する。
【背景技術】
【０００２】ＣＯ２排出ゼロエネルギ―としての水素の促進するために、２０１７年に定めた「第二再生可能エネルギー・水素閣僚会議」で水素社会に向けた「水素基本戦略」の目標に対し解決すべき最大の課題は、水素生成において、最大の課題である「水素生成コストの安い方式」「水素生成ＣＯ２フリー化」の２点である。【０００３】製鉄所や化学工場の製造過程で副産物として発生する水素。
製鉄所では、石炭を蒸し焼きにする過程で大量の水素リッチガスが発生します。これは自工程内の熱源や、先述の自家発電の燃料として燃やされており水素ガスとして外販するには、精製して純度を高める必要があります。化学工場では、より純度の高い水素が副生される。
例えば、苛性ソーダ製造の食塩電解工程からは極めて高純度の水素が発生します。これらは主に産業用途に使わられ、自社工場内で消費されるほか一部外販されている。副生水素は、副次的に生産されるものを活用するため経済的である。【０００４】化石燃料改質の方法としては、天然ガス，ＬＰＧガス、ナフサ、などの化石燃料を改質して水素を製造する。化石燃料を原料とするためＣＯ２を発生する。改質には、水蒸気改質、部分酸化、石炭ガス化などの方法がある。水蒸気改質は、化石燃料に水蒸気を反応させて水素を製造するもので、最も一般的な工業的製造技術である。
メタンガス（ＣＨ４）を用いた水蒸気改質の反応式を次に示す。
１．ＣＨ４＋Ｈ２Ｏ    →  ＣＯ＋３Ｈ２‥‥改質反応
２．ＣＯ＋Ｈ２Ｏ      →  ＣＯ２＋Ｈ２…シフト反応
３．ＣＨ４＋２Ｈ２Ｏ  →  ＣＯ２＋４Ｈ２…反応全体（１＋２）
改質反応は吸熱反応（８００°ｃ程度の温度が必要）なので、外部から加熱する必要    がある。（通常は原料の一部をバーナーで燃焼）【０００５】水の電気分解（火力発電…  再エネ電力）方法は、水に電圧をかけることで酸化還元反応が起き、陰極（−）で水素が、陽極（＋）で酸素が発生する。純粋な水は電流を通しにくいため、水酸化ナトリウム（苛性ソーダ）などを加えた電解液を使います。
水の電気分解ではＣＯ２は発生しませんが（化学式：２Ｈ２Ｏ→２Ｈ２＋Ｏ２）、電気を何によって作るかによって発生することもある。火力発電なら発電工程で化石燃料を燃やすのでＣＯ２を発生する。再エネ電力を使えばＣＯ２は発生しない。
現在、本方法に使用される電力量は、水素１Ｎｍ３当り約５ｋｗの電力を消費する。
2020125231.tif 000002
成に大きなエネルギーを使用していることが解る。【０００６】バイオマスから水素を製造する方法はいくつもありますが、バイオマスをガス化し、生成した可燃ガスを改質する手法が最も多く用いられている。ガス化の技術は、熱による分解反応、生物化学反応、（メタン発酵など微生物活用）などがある。主に木質系バイオマスは熱分解、食品廃棄物・下水汚泥等の廃棄物系バイオマスはメタン発酵が使われる。
問題はコストである。現状、日本国内の再生可能エネルギー由来の電力は非常に高く、比較的低コストとされる風力発電でも、火力発電と同程度から２倍ほどの値段となっている。
この様な高い電力での水素生成方式の電気分解は市場に供給することが難しいと考える。【０００７】水から水素を生成する方法は、純水を触媒に介して水素と酸素に熱分解にすることが知られており（特開平１０−２１２１０１号）この熱分解おいては、シリカ酸化物を触媒として回転可能な炉容器に投入して、炉容器内を真空状態に真空引きし、真空引き後に純水を投入すると共に、最終真空目標温度を３５０〜７００℃に設定して、段階的に加熱しながら水素と酸素を回収している。【０００８】また、ほかの方法としては、細かく粉砕した白金またはラジウム等の金属触媒を約６０〜１５０℃の温度に維持されたキレート化剤含有水と接触させて水素を発生させる方法が知られている。（特開昭−６２−５２１０２）【０００９】また、水酸化ナトリウムまたは水酸化カリウムをステンレスケーシング内の温度を７００℃以下に加熱して溶融塩触媒とし、この溶融塩触媒から微細粒子を触媒上の反応空間に飛散させ。この微細粒子に水蒸気を空間内で接触して水素を発生させる。（特許第６１３０８７２号）【００１０】しかしながら、水素生成に必要な、従来の技術の欠点は、何れの方式も電力量が多く消費する点及び、ＣＯ２の排出量が多く伴うこと、以上２点が現実的に需要の要件に値しない点である。
水素社会を目指すには、現状の基油（ガソリン・重油・灯油・軽油）・天然ガス等の販売価格と同等にて供給できる水素生成技術が確立する必要があると考えます。
【先行技術文献】
【特許文献】
【特許文献１】特開平１０−２１２１０１号
【特許文献２】特開昭６２−５２１０２
【特許文献３】特許第６１３０８７２号
【非特許文献１】中田  力著  脳の中の水分子に関する研究  水と水分子
【非特許文献２】ウエスト・マリン著  水の神秘  科学を超えた不思議な水の世界
【非特許文献３】天羽  則博著  水の０．３〜１ナノメートル粒子の生成技術研究
【非特許文献４】天羽  則博著  ナノ水と油の混合生成技術の研究
【非特許文献５】日本放送出版協会  地球汚染
【非特許文献６】東北大学  新岡  嵩著  燃える
【非特許文献７】ニュートンプレス  ２０１６年１１月号  水素
【発明の概要】
【発明が解決しようとする課題】
【００１１】本発明は、以上のような欠点に鑑み、最大の課題である「水素生成コストの安い方式」「水素生成ＣＯ２フリー化」の２点である。水から水素を取り出すためにナノ水（０．３〜１ナノメートル）を使用した水素発生方法。及びこの方法を実施する為の水素発生装置に関する。本装置を提供することを目的としている。【００１２】将来的に、「水素生成ＣＯ２フリー化」を目指す近道の水素生成装置は、水の電気分解方法であると言われている。しかし現在、本方法に使用される電力量は、水素１Ｎｍ３当り約５ｋｗの電
2020125231.tif 000003
＝２０ｋｗと水素生成に大きなエネルギーを使用していることが解る。
本発明は、水素生成に使用する電力量は、現状の電気分解方法の、約１／２００〜１／３００以下の消費電力量にて水素が生成できることが可能となる。
【問題を解決するための手段】
【００１３】上記目的を達成するために、本発明装置は滝口から水が落下し最下部の水流域へ、水の落下加速度エネルギーを増加しつつ、そして、ナノ水（超微細粒子水及び水分子水）を生成しながら、水が最頂点から落下地点の流域に加速度を得て落下する。また、使用する水の温度を４５℃〜５５℃に昇温し且つ加圧（５〜８ｍパスカル）された温水を特殊ノズルユニットにより、ガス化状態となった水分子（０．２８〜０．４ナノメートル粒径水）を生成することが可能となる。水素生成装置筐体は、筐体内の圧力を０．０１メガパスカルから１．０メガパスカルに圧力を可変させながら保ちつつ筐体内に、水分子化された気体に赤外線５〜７μｍ及び２０μｍ以上の波長を照射する。且つ、磁場を２００〜４００ガロンに保持し、そして、酸素除去装置を経て水素生成室兼真空装置室に送り、純度の高い水素を、短時間及び少ない消費電力にて得ることが可能となる。本装置は、水分子（０．２８〜０．４ナノメートル粒径水）から水素を取り出し水素を生成する、自然界の仕組みを合理的に構築した水素生成装置である。
【００１４】本発明装置は、水分子生成筐体は加圧空気ファン及び特殊ノズルユニットを形成し構築している。また、水分子生成筐体に接続される給水は、給水槽、ポンプ、塩素除去装置、水フィルター、水磁場発生装置、給水加熱装置等から構成している。また、水素生成装置筐体は、赤外線照射装置、磁場発生装置、脱酸素分離装置、圧力調整ポンプユニット、水素送風ファン等を形成し水素生成筐体装置を構築している。
【発明の効果】
【００１５】以上の説明から明らかなように、本発明にあっては次に列挙する効果が得られる。
本発明装置は、ナノ水（０．２８〜０．４ナノメートル粒径水）から水素を取り出し水素を生成する装置である。本発明の水分子生成装置筐体において、水分子（０．２８〜０．４ナノメートル粒径水）生成能力は、水の使用量の単位あたり９５〜１００％の範囲において安定的に生成出来ることが可能となった。
【００１６】本発明の主要装置である、常温水素生成装置筐体は、水分子生成装置筐体にて安定的に生成された水分子（０．２８〜０．４ナノメートル粒径水）を本装置に導入し、要素部品の赤外線照射装置、磁場発生装置、低・中・高水素生成室、酸素・水素分離生成装置、特殊脱酸素除去装置等と筐体内の圧力等の条件値を揃えられた環境において、常温水素生成装置筐体を総合運転操作することから、得られた水素の生成量は理論数値と比較すると次の値が得られる。
使用する水の原単位→１，０００ｃｃである。水分子生成量→９８０ｃｃである。（９８％の生成密度）水分子生成量９８０ｃｃから得られる理論水素量は、３０３．８ｇである。
検証  水分子生成量９８０ｃｃから得られた水素の生成量は、２７４．０ｇ（３．０Ｎｍ３）の成果が得られた。
使用された水の原単位と水素生成の比率は、２７４÷１，０００＝２７．４％であ      る。
因みに要した消費電力は、約６０Ｗ程度である。
電気分解との比較では、１／２５０の電力量で水素が生成出来ることから、効果検証として、高濃度の水素を生成する方式として、水分子から生成する方式が、生成効率、経済的、安全性、ＣＯ２排出量等を鑑みても非常に高い評価が得られると考える。
【００１７】また、将来的に、「水素生成ＣＯ２フリー化」を目指す近道の水素生成装置は、水の電気分解方法であると言われている。しかし現在、本方法に使用される電力量は、水素１Ｎｍ３当り約５ｋｗ
2020125231.tif 000004
本発明は、水素生成に使用する電力量は、現状の電気分解方法の、約１／２００〜１／３００以下の消費電力量にて水素が生成できることが可能となることが大きな特徴である。
【図面の簡単な説明】
【００１８】
【図１】本発明を実施するための最良の第１の形態の図−１．である。
【図２】本発明の効果を示すデーターである。水分子生成（０．２８〜０．４ナノメートル粒径水）の粒度分布を示す。
【発明を実施するための形態】
【００１９】以下、本発明の形態を図に基づいて説明する。
【実施例１】
【００２０】本発明装置は、ナノ水（０．２８〜０．４ナノメートル粒径水）から水素を取り出し水素を生成する装置である。図１、装置概念図は、本発明の常温水素生成装置筐体２、水分子生成装置筐体３、高純度水素貯蔵槽４，を形成し装置を構成している。図１は、常温水素生成システムを構成する装置の全体を示している。該、常温水素生成装置筐体２に、水分子生成装置筐体３の水分子生成室９にて生成された水分子（０．２８〜０．４ナノメートル粒子水）は水分子供給管を経て該、常温水素生成装置筐体３．に供給される。【００２１】本装置の主要構成である、水分子生成装置筐体３は、加圧空気ファン５、及び．水分子特殊ユニット６−１．２．３、磁場発生装置１７によって給水温度を４５〜５５℃に加温する。加温された給水管はポンプによって加圧（圧力５〜８ｍパスカル）される。加温及び加圧された給水管１８は、該、水分子生成装置筐体３の水分子生成特殊ユニット６−１．２．３．によって水分子化（０．２８〜０．４ナノメートル粒子水）される。水分子生成室９は、そのガス化状態となった気体を貯留する空間である。
該、水分子生成特殊ニット６−１．２．３に給水される要素部品は、給水管１０、塩素除去装置１１、水フィルター装置１２、給水流量計１３、給水槽１４、給水管磁気発生装置１５、ポンプ１６、給水加熱装置１７、給水管１８等の要素部品等から構成している。【００２２】本装置の構成である、水分子生成装置筐体３は、水分子生成室９の空間を、加圧（０．８〜１．５ｍＰａ）、磁場力（２００〜４００ガロン）双方の条件を一定に保った空間に水分子が生成されることになる。
その空間に、水分子生成特殊ユニット６−１．２．３によって、水分子（０．２８〜０．４ナノメートル粒子水）が該空間に噴霧される。水分子（０．２８〜０．４ナノメートル粒子水）は、該空間の圧力と磁場力による化学反応等の変化を得てから、水分子（０．２８ｎｍ〜０．４ｎｍ）口径の粒子が該空間に生成されることになる【００２３】本発明の主要装置である、常温水素生成装置筐体２は、低濃度水素生成室２１、中濃度水素生成室２２、高濃度水素生成室２３、高濃度水素貯留室２４、高濃度水素貯留室２５、磁場発生装置２６、特殊脱酸素除去装置２７、赤外線照射装置３０、加圧エアーポンプ２８、真空ポンプ２９、酸素・水素分離特殊装置３１、酸素・水素分離特殊装置３２、酸素・水素分離特殊装置３３等の要素構成部品を形成して本装置を構成している。
該装置の筐体は、円筒形とし、材質は内部面の仕上げ精度が必要とすることから材質をオールステンレス（３０４−２−Ｂ）程度とする。【００２４】本発明の主要装置である、常温水素生成装置筐体２の装置全体の概要を説明する。
水分子生成装置筐体３にて生成された、水分子（０．２８〜０．４ナノメートル粒径）を貯留する水分子生成室９から、水分子供給管２０を経て、該水素生成装置筐体３へと供給される。
本装置の常温水素生成装置筐体２へと供給された水分子（０．２８〜０．４ナノメートル粒径）は、最初に低濃度水素生成室２１から中濃度水素生成室２２を経て．高濃度水素生成供給室２３へと順次導かれる。上記の水素生成室２１．２２．２３を経て高濃度水素に生成された水素は最後に高濃度水素生成室兼真空装置室２５へと流入し、そして純度の高い水素が貯留されることになる。そして、高濃度水素供給用送風機３４によって、高濃度水素供給管３５を経由し高濃度水素生成槽４へと送り込まれる。【００２５】本発明装置の主要装置である、常温水素生成装置筐体２の機能的概要を説明する。
常温水素生成装置筐体２は、一つ目の機能は、加圧空気送風機２８、真空ポンプ２９により筐体内の圧力を任意に可変する機能を有している。また、常温水素生成装置筐体２内の圧力をマイナス０．０１〜＋１．０ｍｐａ（メガパスカル）に任意に可変することが可能となる。二つ目の機能については、水分子生成装置筐体３によって生成された水分子（０．２８〜０．４ナノメートル粒径）は、水分子生成装置筐体３の最初の水素生成室である、低濃度水素生成室２１へと送り込まれる。該低濃度水素生成室２１の空間はガス化状態となっている、その気体に赤外線５〜７μｍ及び２０μｍ以上の波長を赤外線装置３０によりその空間に照射する。且つ、磁場発生装置２６の磁場力２００〜４００ガロンに保たれた空間に磁場を与えることになり水素を生成することが可能になる。このようにして水分子の酸素と水素は双方の物理化学の動態運動変化により化学反応を起しつつ遊離分裂運動することが可能となる。順次に、低濃度水素生成室２１、中濃度水素生成室２２、高濃度水素生成室２３の空間を徐々に水素濃度を高めながら、該水素生成室移動していくことになる。自然界の仕組みを合理的に構築した水素生成装置である。【００２６】本発明装置の主要装置である、三つ目の機能について説明する。常温水素生成装置筐体２内においての入口から水分子の動向は、酸素と水素に遊離離脱運動を起しながら水素濃度を高められた該水素は、更に純度を高めるために、特殊脱酸素除去装置２７は、残留酸素を除去することを目的として設ける。高純度化した水素を、高濃度水素貯蔵室兼真空装置室２５に送りこまれることになる。その水素は、高濃度水素供給送風機３４によって高純度水素供給管３５を経て高濃度水素貯蔵槽４へ送り貯蔵することになる。
純度の高い水素を短時間且つ少ない消費電力にて得ることが可能となる。本装置は、水分子（０．２８〜０．４ナノメートル粒径）から水素を取り出し水素を生成する、自然界の仕組みを合理的に構築した水素生成装置である。【００２７】本発明装置の主要装置である、常温水素生成装置筐体２の要素部品を構成している、酸素・水素分離生成装置３１．３２．３３の機能的概要を説明する。
酸素・水素分離生成装置３１．３２．３３の機能は、水分子生成装置筐体３にて、水分子（０．２８〜０．４ナノメートル粒径）が生成され、水分子供給管２０を通じて、該、常温水素生成装置筐体２に流入される。そして、常温水素生成装置筐体２に４室を低濃度水素生成室２１、中濃度水素生成室２２、高濃度水素生成室２３、高濃度水素貯留室を設けている。その４室を区切る隔壁が酸素・水素分離生成装置３１．３２．３３である。その特徴は、該、常温水素生成装置筐体２の底部から上部に仕切り板を水分子（０．２８〜０．４ナノメートル粒径）が酸素と水素の遊離分裂が起し易く且つ、その酸素と水素がスムーズに流れることが可能になる様に、酸素吸着剤機能シートを貼り付けた３枚の隔壁板を設けている。
【産業上の利用可能性】
【００２８】本発明は、現在世界は今，脱炭素が加速度的に進んでいる。日本国内では，ＣＯ２排出ゼロのエネルギーが実現する、水素社会を促進するために政府が定めた「水素基本戦略」の目標に対し解決すべき最大の課題は水素生成プロセスにおいて「水素生成コストの安い方式」「水素生成ＣＯ２フリー化」の２点である。それは、ナノ水（０．２８〜０．４ナノメートル粒径）から水素を取り出し水素を生成する、自然界の仕組みを合理的に構築した水素生成装置である。
しかし現在は、「水素生成ＣＯ２フリー化」を目指す近道の水素生成装置は、水の電気分解であると言われている。しかし現在、本方法に使用される電力量は、水素１Ｎｍ３当たり５ｋＷの電力を
2020125231.tif 000005
していることが解る。本発明装置は、水素生成に使用する電力量は現状の電気分解方式の，約１／７０〜１／１００以下の消費電力量にて水素が生成できることが可能になる。
本発明は、従来方式の欠点に鑑み、最大の課題である「水素生成コストの安い方式」「水素生成ＣＯ２フリー化」の２点である。水から水素を取り出すためにナノ水（０．２８〜０．４ｎｍ粒径水）をを使用した水素発生方法である。及びこの方法を実施するための水素発生装置に関する。
水素を必要とする全ての産業に提供することを目的としている。
【符号の説明】▲１▼    装置概念図  図１
▲２▼    常温水素生成装置筐体
▲３▼    水分子生成装置筐体
▲４▼    高濃度水素貯蔵槽
▲５▼    加圧空気ファン
▲６▼    水分子生成特殊ユニット６−１．２．３
▲７▼    水分子生成装置  磁場発生装置
▲８▼    水分子生成装置  赤外線照射装置
▲９▼    水分子生成装置  水分子生成室
▲１０▼  給水管
▲１１▼  塩素除去装置
▲１２▼  水フィルター装置
▲１３▼  給水流量計
▲１４▼  給水槽
▲１５▼  給水管磁気発生装置
▲１６▼  ポンプ
▲１７▼  給水加熱装置
▲１８▼  加温された給水管
▲１９▼  なし
▲２０▼  水分子供給管
▲２１▼  低濃度水素生成室
▲２２▼  中濃度水素生成室
▲２３▼  高濃度水素生成室
▲２４▼  高濃度水素貯留室
▲２５▼  高濃度水素貯蔵室兼真空装置室
▲２６▼  常温水素生成装置筐体内  磁場発生装置
▲２７▼  常温水素生成装置筐体内．特殊脱酸素除去装置
▲２８▼  加圧空気送風機
▲２９▼  真空ポンプ
▲３０▼  常温水素生成装置筐体内  赤外線照射装置
▲３１▼  常温水素生成装置筐体内  酸素・水素分離生成装置  １．
▲３２▼  常温水素生成装置筐体内  酸素・水素分離生成装置  ２．
▲３３▼  常温水素生成装置筐体内  酸素・水素分離生成装置  ３．
▲３４▼  高濃度水素供給送風機
▲３５▼  高濃度水素供給管
【図１】
2020125231.tif 000007
【図２】
2020125231.tif 000008